(57)【要約】【課題】簡単な手順や操作等によってエアテントの断熱性向上が図られるようにし、寒冷地や酷暑地等の悪条件下でも快適な居住環境を造り出すことが出来るようにする。【解決手段】エアテント１の断熱性を向上させるため、天幕３上に、スペーサ部材４と天蓋シート５からなる断熱層形成材６を被せることにより、天幕３と天蓋シート５の間に空気層Ｄを形成する。この際、天蓋シート５の前後方向長さを長くして、テント１の前後面に対する直射日光等の影響を無くすようにし、また、天蓋シート５には、適宜箇所にベンチレーション窓ｖを設けるとともに、必要に応じて空気層Ｄの端部にダクトｄを接続し、空気層Ｄ内の熱気等を強制的に排出する。【選択図】　　　図１
2004132006.tif 000002
【特許請求の範囲】
【請求項１】
スペーサ部材と天蓋シートを備えたテント用の断熱層形成材であって、前記スペーサ部材はテントの天幕の上面に接するように配設され、且つこのスペーサ部材によって、テントの天幕と天蓋シートとの間に空気層が形成されることを特徴とする断熱層形成材。
【請求項２】
前記スペーサ部材が、エア膨張体で形成されることを特徴とする請求項１記載の断熱層形成材。
【請求項３】
テントの天幕上に、請求項１または請求項２記載の断熱層形成材が配設されることを特徴とするテント。
【発明の詳細な説明】
【０００１】
【発明の属する技術分野】
本発明は、エアテントの居住性等を改善するため、テントの断熱性を高める技術に関する。
【０００２】
【従来の技術】
従来、例えば災害時の救護活動や、各種イベント等において、ゴム引き布等の気密シートから断面円形または断面多角形の柱状に形成される気柱を骨格とし、その周囲を天幕で覆うような比較的大型のエアテントや、金属支柱等を使用した一般的な大型テントが使用されることがあり、このようなテントを寒冷地や酷暑地等でも快適な居住環境にする技術として、例えば、骨格となる気柱の外側に天幕を被せるようなエアテントにおいて、気柱の内側に内張りシートを着脱自在に装着し、天幕と内張りシートの間に空気層を形成することにより断熱効果を高めるような技術が知られている。（例えば、特許文献１参照。）。
【０００３】
【特許文献１】
特開平８−２７０２６４号公報
【０００４】
【発明が解決しようとする課題】
ところが、上記のような技術は、気柱の内側に接着固定される嵌挿具（ファスナーオス）と、内張りシートに接着固定される嵌挿具（ファスナーメス）を係合させて内張りシートを取り付けるようにしているため、天幕と内張りシートの狭い隙間に手を入れて各嵌挿具を係合させる作業が難しく、取付けまたは取外し作業に手間と時間がかかるとともに、特に天幕と内張りシートの隙間がなくなるような最終段階では、嵌挿具を係合させることが出来ないという問題がある。
【０００５】
そこで本発明は、簡単な手順や操作等によってエアテントの断熱性向上が図られるようにし、寒冷地や酷暑地等の悪条件下でも快適な居住環境を造り出すことが出来るようにすることを目的とする。
【０００６】
【課題を解決するための手段】
上記目的を達成するため本発明は、スペーサ部材と天蓋シートを備えたテント用の断熱層形成材において、前記スペーサ部材をテントの天幕の上面に接するように配設し、且つこのスペーサ部材によって、テントの天幕と天蓋シートとの間に空気層が形成されるようにした。
【０００７】
このように、スペーサ部材と天蓋シートからなる断熱層形成材を設け、この断熱材形成材をエアテントの天幕上に被せることにより、天幕と天蓋シートの間に空気層が形成されるようにしてテント内の断熱性向上を図るようにすれば、寒冷時においては暖かく、酷暑時においては涼しくなって居住性が改善される。この際、スペーサ部材は、天幕と天蓋シートの間に断熱空気層となる所定の隙間が形成されるような厚みや相互間隔で配置するようにし、例えば柱状部材を列状に並べるようにしても良く、ブロック状部材を散点状に配置するようにしても良い。
【０００８】
また本発明では、前記スペーサ部材を、エア膨張体で形成するようにした。
このようにスペーサ部材をエア膨張体で形成すれば、収納時等のコンパクト化が図られ、また、軽量となる。
しかも、例えばスペーサ部材と天蓋シートとを同一の素材等により一体に設けるようにすれば、スペーサ部材の紛失の恐れがなくなる。
【０００９】
そして、本発明では、請求項１または請求項２の断熱層形成材をテントの天幕上に配設することでテントを構成するようにする。
【００１０】
【発明の実施の形態】
本発明の実施の形態について添付した図面に基づき説明する。
ここで図１は本発明に係る断熱層を有するエアテントの一例を示す説明図、図２はテントと断熱層形成材を分解した状態の説明図、図３は断熱層形成材の他の例を示す説明図、図４はスペーサ部材と天蓋シートの一体化の一例を示す説明図、図５は断熱層形成材によって入口と出口部にひさしを形成する例を示す説明図、図６及び図７は断熱層形成材の更に別の構成例の説明図である。
【００１１】
本発明に係る断熱層を有するエアテントは、例えば図２に示すようなエアテント１において、簡単な手順や操作等によって断熱性向上が図られるようにされ、寒冷時や酷暑時等の悪条件下でも快適に居住できるようにされている。
【００１２】
すなわち、このようなエアテント１は、例えば災害時の救護活動や、各種イベント等において多用されるものであり、例えば骨格２部分が空気を注入することにより急速に膨張して所望形状に骨組みされる気柱と、この骨格２の周囲に被せられる天幕３を備えている。
そして本発明では、図１に示すように、天幕３上に、スペーサ部材４と天蓋シート５を備えた断熱層形成材６を被せることにより、天幕３上に空気層Ｄを形成することを特徴としている。
【００１３】
前記スペーサ部材４は、本実施例の場合、エアテント１の前後方向に延出し且つ幅方向に沿って所定間隔置きに配設される複数の柱状部材とし、断熱層形成材６を天幕３上に被せる際、スペーサ部材４が天幕３上に接するような状態で載置すると、天幕３と天蓋シート５の間に空気層Ｄとなる空間部が列状に形成されるような厚みと相互間隔で配置されている。
ここで、本実施例では、スペーサ部材４をエア膨張体とし、また、テント１の前後方向の端部からスペーサ部材４がはみ出ないような状態で天蓋シート５と一体に構成するとともに、例えば特定箇所から給排気することで全てのスペーサ部材４が膨張、収縮するようにし、しかも、前後方向については二分割することにより、空気層Ｄ内の空気の流通が円滑に図られるようにしている。
尚、スペーサ部材４は本実施例の形態に限定されず、例えば樹脂製、木製、金属製等の素材から構成するようにしても良く、この際、内部を中空にしたり、発泡素材を使用したりして軽量化を図るようにしても良い。
【００１４】
また、このようなスペーサ部材４の形状は、必ずしも柱状部材に限られるものではなく、例えばブロック状の部材を散点状に配設することにより断熱空間部を形成するようにしても良い。
【００１５】
前記天蓋シート５は、本実施例の場合、天幕３やスペーサ部材４の前後方向の長さに対して、中央部分が飛び出するように長めにされ、スペーサ部材４を介して天幕３の上部に被せられると、天幕３との間に空気層Ｄが形成されるようにされるとともに、テント１の前後方向の上部が覆われるようにしている。
これは、テント１の前後の垂直面は、外表面積の３０％程度を占め、前後方向から日光があたると、特に夏場等では、テント内の温度が上がり不快感を招くため、日光の影響を遮るため、天蓋シート５を長くしてひさしのように使用するためである。
そしてこのような天蓋シート５の素材としては、例えば樹脂シートやゴム引き布や防水帆布やターポリン等の防水素材が適用可能であり、また、アルミニウムを蒸着したり、アルミニウム箔を積層したりした防水素材を使用することにより高い断熱効果を得ることが出来る。また、特に、ポリエチレン発泡シートとアルミ箔の積層体を天蓋シート５として使用すると、非常に高い断熱効果を発揮するが、この際、ポリエチレン発泡シートの引裂き強度の弱さを改善するため、織布とポリエチレン発泡シートとアルミニウムの蒸着層の三層構造にしても良い。
そして、この天蓋シート５は、前後方向の両端中央部を紐で引張って地面等に固定するようにしている。
【００１６】
以上のような断熱層形成材６を天幕３上に被せ、スペーサ部材４が天幕３上に接するように配置することにより、天幕３と天蓋シート５間に前後方向に挿通する複数条の空気層Ｄが形成され、太陽熱等の外部熱や冷気が遮断されるが、特に夏場等において、空気層Ｄ内の熱気を積極的に逃がすためには、図１に示すように、天蓋シート５の適所に適宜数のベンチレーション窓ｖを設けるようにすることが好ましく、更に、空気層Ｄの一端側にダクトｄを接続し、ファンｆにより空気層Ｄ内の空気を強制排気するようにしても良い。この際、スペーサ部材４は長手方向に二分割されているため、空気層Ｄ内の空気全体が効率的に排気され、熱気等を逃がすことが出来る。
【００１７】
尚、天蓋シート５の形態を、図３に示すように、両側端部の二ヶ所で紐で引張って固定出来るようにし、中央部からの人の出入りの容易化を図るようにしても良い。
【００１８】
ところで、スペーサ部材４をエア膨張体以外の素材、例えば樹脂製、木製、金属製等の素材から構成する場合、これを天蓋シート５を一体化するための手段の一例としては、図４（ａ）に示すように、天蓋シート５の裏側にゴムバンドや面ファスナ等の係止具８を設けておき、この係止具８でスペーサ部材４を係止するようにしても良く、図４（ｂ）に示すように、筒状のキャップ具９を天蓋シート５の端部に固着しておき、このキャップ具９にスペーサ部材４の端部を嵌め込んで固定するようにしても良く、接着剤やその他の方法で固定するようにしても良い。
【００１９】
ところで、断熱層形成材６によりテント１の前後面の上部にひさしを形成して直射日光等を遮る場合、図５に示すように、スペーサ部材４の長さや天蓋シート５の長さがテント１の前後方向の長さより一回り長い断熱層形成材６を構成し、これをテント１上に被せて任意の手段で固定するようなことも可能である。
この場合は、空気層Ｄの空気を直接外気に排出する際の傷害物がないため、ダクトｄやファンｆ等により空気層Ｄ内の熱気を強制的に排気する必要性が少なくなる。
【００２０】
尚、以上の実施例では、テント１の前後面にひさしを形成して日光等の影響を遮る場合を例にとって説明したが、図６に示すように、スペーサ部材４や天蓋シート５の長さをテント１の長さと同一にして、単にテント１の上に被せて任意の手段で固定するようにしても良く、図７に示すように、天蓋シート５の前後方向の両端部周縁にメッシュ部材１２を設け、このメッシュ部材１２で空気層Ｄの開口端部を覆うとともに、ファスナ１３、１４等の接続具で天幕３に固定することにより、空気層Ｄへの落ち葉やゴミ等の侵入を防止しつつ、熱気の排出を図るようにしても良い。
【００２１】
尚、本発明は以上のような実施形態に限定されるものではない。本発明の特許請求の範囲に記載した事項と実質的に同一の構成を有し、同一の作用効果を奏するものは本発明の技術的範囲に属する。
例えば天蓋シート５や、スペーサ部材４や、断熱層形成材６の固定方法等は任意であり、天幕シート５のベンチレーション窓ｖやダクトｄ、ファンｆ等は必須の構成要件ではない。また、テント１もエアテントに限定されるものではない。
【００２２】
【発明の効果】
以上のように本発明は、スペーサ部材と天蓋シートを備えたテント用の断熱層形成材を設け、スペーサ部材をテントの天幕の上面に接するように配設することにより、テントの天幕と天蓋シートとの間に空気層が形成されるようにしたため、寒冷時においては暖かく、酷暑時においては涼しくなるようになって居住条件の改善が容易に図られるようになった。
この際、スペーサ部材を、エア膨張体で形成すれば、収納時等のコンパクト化が図られ、また、軽量となる。
【図面の簡単な説明】
【図１】本発明に係る断熱層を有するエアテントの一例を示す説明図
【図２】テントと断熱層形成材を分解した状態の説明図
【図３】断熱層形成材の他の例を示す説明図
【図４】スペーサ部材と天蓋シートの一体化の一例を示す説明図
【図５】断熱層形成材によって入口と出口部にひさしを形成する例を示す説明図
【図６】断熱層形成材の別の構成例の説明図
【図７】断熱層形成材の更に別の構成例の説明図
【符号の説明】
１…エアテント、２…骨格、３…天幕、４…スペーサ部材、５…天蓋シート、６…断熱層形成材、Ｄ…空気層。
【図１】
2004132006.tif 000003
【図２】
2004132006.tif 000004
【図３】
2004132006.tif 000005
【図４】
2004132006.tif 000006
【図５】
2004132006.tif 000007
【図６】
2004132006.tif 000008
【図７】
2004132006.tif 000009